(57)【要約】【課題】  組立作業を容易迅速に行える組立用階段を提供することを課題とする。【解決手段】  組立用階段は、複数の支柱４を前後方向に沿って列状に配置して構成された支柱群と、積み重ねることができる複数の収納体２とを備え、収納体２は、所定の支柱を貫通可能な貫通孔を外周縁の特定箇所に備え、複数の収納体２を支柱４に貫通させて上下に積み重ねることによって、後方側ほど高くなるように高さが異なる複数のブロック体を構成し、列状に配置されたブロック体群のうちの複数のブロック体の最上部に位置する収納体２の左右幅方向両側の少なくとも一側に位置する支柱４を収納体２から上方に突出させ、突出させた支柱により手すり６を構成した。【選択図】図１
2010229653.tif 000002
【特許請求の範囲】
【請求項１】
複数の支柱を少なくとも前後方向に沿って列状に配置して構成された支柱群と、積み重ねることができ、かつ、収容物を挿入可能な開口部を有する複数の収納体とを備え、前記収納体は、所定の支柱を貫通可能な貫通孔を外周縁の特定箇所に備え、複数の収納体を前記支柱に貫通させて上下に積み重ねることによって、後方側ほど高くなるように高さが異なる複数のブロック体を構成し、列状に配置されたブロック体群のうちの複数のブロック体の最上部に位置する収納体の左右幅方向両側の少なくとも一側に位置する支柱を該収納体から上方に突出させ、該突出させた支柱により手すりを構成したことを特徴とする組立用階段。
【請求項２】
前記支柱群は、支柱が左右方向に間隔を置いて位置していることを特徴とする請求項１に記載の組立用階段。
【請求項３】
前記手すりが、前記ブロック体の左右幅方向両側に設けられていることを特徴とする請求項１又は２に記載の組立用階段。
【請求項４】
前記収納体が、平面視において矩形状であり、該矩形状の収納体の四隅に前記４本の支柱を上下方向から貫通可能な貫通孔を形成したことを特徴とする請求項１〜３の何れか１項に記載の組立用階段。
【請求項５】
前記貫通孔が、左右方向に長い前後一対の長孔である請求項４に記載の組立用階段。
【請求項６】
突出させた前記複数の支柱の一部又は全部を、その上端が天井面に接当して突っ張り棒として機能するように該支柱を延出する、又は別体構成された棒を連結したことを特徴とする請求項１〜５の何れか１項に記載の組立用階段。
【請求項７】
前後方向で隣り合う前記収納体のうちの前側の収納体の後端と後側の収納体の前端とを、共通の左右の支柱に貫通させてブロック体を構成したことを特徴とする請求項１〜６の何れか１項に記載の組立用階段。
【請求項８】
前記収納体が、水平方向一側に前記開口部を備えた箱型に構成されている請求項１〜７の何れか１項に記載の組立用階段。
【請求項９】
前記手すりが、突出させた前記複数の支柱同士を連結部材により連結して構成したことを特徴とする請求項１〜８の何れか１項に記載の組立用階段。
【発明の詳細な説明】
【技術分野】
【０００１】
本発明は、例えばロフトなどへ上がるために設けられる組立用階段に関する。
【背景技術】
【０００２】
従来、組立用階段としては、例えば高さと幅の異なる複数の家具、具体的には複数の抽斗型の小幅家具、小幅家具よりも高くて幅の広い抽斗型の中幅家具の他、中幅家具よりも高くて幅の広い開き戸型の第１広幅家具及び第２広幅家具を用意し、これらの家具を用いて組み立てたものが既に提案されている（例えば、特許文献１）。
【０００３】
前記複数の家具は、各家具の抽斗や開き戸が左右方向の同一方向から引き出せるあるいは開閉できるように、背の低い家具から順番に前後方向に沿って列状に配置され、それら家具のうちの前後方向において幅の広い中幅家具や広幅家具の後側上面に、単数又は複数の小幅家具を載置することで、階段状に構成できるようにしている。
【０００４】
また、前記のように組み立てられた階段を構成するすべての家具が一体化するように、前後方向で隣り合う家具の側板同士を連結金具により連結することが行われている。そして、その連結が容易に行なえるように、各家具を容易に移動させるためのブレーキ付キャスタを各家具の下面に備えている。
【先行技術文献】
【特許文献】
【０００５】
【特許文献１】特開２００３−２８９９６４号公報
【発明の概要】
【発明が解決しようとする課題】
【０００６】
特許文献１の構成によれば、小幅家具、中幅家具、広幅家具の各家具を左右方向及び前後方向において位置合わせしながら配置しなければならないだけでなく、広幅家具の後側上面に小幅家具を積み重ねるときに、下側の広幅家具に対して上側の小幅家具の前後方向及び左右方向における位置合わせをも行わなければならないため、積み重ね作業を迅速に行うことができない。
また、前記のように前後方向で隣り合う家具の側板同士を連結金具により連結する作業が煩わしい作業になるだけでなく、連結金具により連結する前に、邪魔になる抽斗を抜いておく作業や開き戸を開放にしておく作業が同時に必要になる。さらに、連結後において抜いた抽斗を入れ直す作業や開放した開き戸を閉じる作業も必要になることから、組立作業が非常に煩わしい作業になっていた。
【０００７】
そこで、本発明は、上記問題に鑑みてなされたもので、組立作業を容易迅速に行える組立用階段を提供することを課題とする。
【課題を解決するための手段】
【０００８】
本発明の組立用階段は、上記課題を解決すべく構成され、複数の支柱を少なくとも前後方向に沿って列状に配置して構成された支柱群と、積み重ねることができ、かつ、収容物を挿入可能な開口部を有する複数の収納体とを備え、前記収納体は、所定の支柱を貫通可能な貫通孔を外周縁の特定箇所に備え、複数の収納体を前記支柱に貫通させて上下に積み重ねることによって、後方側ほど高くなるように高さが異なる複数のブロック体を構成し、列状に配置されたブロック体群のうちの複数のブロック体の最上部に位置する収納体の左右幅方向両側の少なくとも一側に位置する支柱を該収納体から上方に突出させ、該突出させた支柱により手すりを構成したことを特徴としている。
【０００９】
上記構成によれば、複数の支柱を前後方向に沿って列状に配置し、それら配置した支柱のうちの所定の複数の支柱に、必要個数の収納体を順次貫通させるだけで、前後方向に位置決めした状態で上下方向に収納体を積み重ねることができる。このように前後方向に順次収納体を積み重ねて、高さの異なるブロック体を構成することによって、階段を構成することができる。そして、収納体から上方に支柱を突出させ、その突出させた支柱を利用して最上部に位置する収納体の左右幅方向両側の少なくとも一側に手すりを構成することができる。
【００１０】
また、本発明の組立用階段を構成する支柱群は、支柱が左右方向に間隔を置いて位置していてもよい。
【００１１】
また、本発明の組立用階段は、前記手すりが、前記ブロック体の左右幅方向両側に設けられていてもよい。
【００１２】
また、本発明の組立用階段は、前記収納体が、平面視において矩形状であり、該矩形状の収納体の四隅に前記４本の支柱を上下方向から貫通可能な貫通孔を形成してもよい。
【００１３】
また、本発明の組立用階段は、前記貫通孔が、左右方向に長い前後一対の長孔であってもよい。
【００１４】
上記構成にすれば、支柱の位置が左右方向で多少ずれていても長孔により吸収して収納体を支柱に貫通させることができる。
【００１５】
また、本発明の組立用階段は、突出させた前記複数の支柱の一部又は全部を、その上端が天井面に接当して突っ張り棒として機能するように該支柱を延出する、又は別体構成された棒を連結していてもよい。
【００１６】
上記構成にすれば、突出させた支柱の上端が天井面に接当することから、支柱の下端を床面などに架台コンクリート等簡単に分解できない固定方法で固定しなくても、天井と床面などとの間に支柱をドライバー等、簡易な工具で固定することができる。
【００１７】
また、本発明の組立用階段は、前後方向で隣り合う前記収納体のうちの前側の収納体の後端と後側の収納体の前端とを、共通の左右の支柱に貫通させてブロック体を構成してもよい。
【００１８】
上記構成にすれば、前側の収納体の後端と後側の収納体の前端とを、共通の左右の支柱に貫通させてブロック体を構成することができるから、特別な連結部材を用いることなく、前側の収納体と後側の収納体とを共通の左右の支柱により前後方向で連結することができる。
【００１９】
また、本発明の組立用階段は、前記収納体が、水平方向一側に前記開口部を備えた強度的に優れる箱型に構成されていてもよい。
【００２０】
また、本発明の組立用階段は、前記手すりが、突出させた前記複数の支柱同士を連結部材により連結して構成されていてもよい。
【発明の効果】
【００２１】
以上の如く、本発明は、支柱に必要個数の収納体を順次貫通させるだけで、前後方向に位置決めした状態で上下方向に収納体を積み重ねることができるから、収納体に対する水平方向の位置決めが不要になるだけでなく、連結金具による連結も不要にすることができる。従って、組立作業を容易迅速に行える組立用階段を提供することができる。
【図面の簡単な説明】
【００２２】
【図１】組み立てられた組立用階段の一形態の全体側面図を示す。
【図２】図１の組立用階段の正面図を示す。
【図３】図１の組立用階段を構成する収納体を示し、（ａ）はそれの斜視図を示し、（ｂ）はそれの横断平面図を示す。
【図４】突っ張り棒を設けた第２の形態の組立用階段の全体側面図を示す。
【図５】エアコンの室内機のスペースを確保できるように構成した第３の形態の組立用階段の全体側面図を示す。
【図６】前後の収納体を共通の支柱に貫通させた第４の形態の組立用階段の全体側面図を示す。
【図７】収納体の第２の形態の分解斜視図を示す。
【図８】収納体の第３の形態の分解斜視図を示す。
【発明を実施するための形態】
【００２３】
以下、本発明に係る組立用階段について、図面を参酌しつつ説明する。
【００２４】
図１は、ロフト１へ上がれるために組み立てられた組立用階段の全体側面図を示し、図２は、図１の組立用階段の正面図を示し、図３（ａ）に、組立用階段を構成する収納体２を示す斜視図を示し、同図（ｂ）が収納体２の横断平面図を示している。尚、ロフトとは、建物の最上階又は屋根裏にある部屋を言い、図１において天井面Ｔとの間に形成される空間である。
【００２５】
図３（ａ），（ｂ）に示すように、収納体２は、前方に収容物を挿入可能な開口部２Ｋが形成され、開口部２Ｋを通して挿入された収容物を収容可能となる収容空間を形成するべく箱型形状に構成されている。つまり、フラットな上面を有する長方形の上側壁２Ａと、フラットな下面を有する長方形の下側壁２Ｂと、上側壁２Ａと下側壁２Ｂとを連結する左右一対の長方形の横側壁２Ｃ，２Ｄと、後方開口部を閉じる長方形の後側壁２Ｅとからなり、前面開放型の箱型形状に構成している。このように収納体２が上下にフラット面を備えていることから、収納体２を上下方向に安定よく積み重ねることができる。
【００２６】
また、収納体２の前後方向両端部に、左右方向に長く上下方向に貫通する貫通孔２ａ，２ｂが形成されており、これら貫通孔２ａ，２ｂに、左右２本の支柱４，５をそれぞれ貫通させることができるように構成されている。そして、これら貫通孔２ａ，２ｂが、左右方向に長い長孔に構成されていることから、左右の支柱４，５の位置が左右方向で多少ずれていても、長孔２ａ，２ｂにより吸収して収納体２を支柱４，５に確実に貫通させることができる。尚、支柱４，５及び収納体２は、保形性を有するものであれば、どのような材料のものであってもよく、例えば、合成樹脂、金属、木、コンクリートなどから構成することができる。また、長孔２ａ，２ｂを形成した場合、支柱４，５間を適度な間隔で横パイプＰ（図２、図３（ｂ）参照）でつなぐことにより，安定性が増すことができる。支柱４，５に横パイプＰを固定する手段としては、ネジを用いたねじ式、支柱４，５に両端を挿入して固定するスリーブ式などである。また、横パイプＰは、長孔２ａ，２ｂ内に入り込む構成の他、収納体２の下側に露出する構成であってもよい。
【００２７】
また、収納体２の前端面の上下２箇所のそれぞれに、棒状（釣り針状でもよい）のハンガーフック６をねじ込んで取り付けることができる複数のネジ孔２Ｎが形成されている。図３（ａ），（ｂ）では、左右方向に所定間隔を置いて３つのネジ孔２Ｎが形成されているが、ネジ孔２Ｎの個数及び形成位置は自由に変更可能である。例えば、収納体２の後端面にも、ハンガーフック６をねじ込んで取り付けることができる単数又は複数のネジ孔２Ｎを形成して実施することもできる。
【００２８】
図１及び図２に示すように、組立用階段は、床面３上に多数の収納体２を積み重ねることによって、ロフト１の下側を構成する縁部１Ａまで上って行くための階段として構成されている。そして、図１において各収納体２の開口２Ｋを通して内部に収容物を収容することができる。
【００２９】
具体的には、左右一対の円形の支柱４，５を前後方向に沿って二列状に配置して支柱群を構成し、これら配置した支柱４，５のうちの前後４本の支柱４，５、４，５に収納体２に備えた前記貫通孔２ａ，２ｂ（図３（ａ），（ｂ）参照）を貫通させることによって、前後方向及び左右方向に位置決めした状態で上下方向に収納体２を積み重ねることができる。前記のように、収納体２の四隅に４本の支柱４，５、４，５がそれぞれ貫通する構成にすることによって、収納体２の収納空間を有効に形成することができるが、収納体２の四隅に４本の支柱４，５、４，５がそれぞれ貫通する構成でなくてもよい。また、ここでは、２つの貫通孔２ａ，２ｂを形成しているが、貫通させる支柱４，５、４，５と同一の４個の貫通孔を形成してもよい。
【００３０】
また、前記支柱４，５のうちの前後方向３番目、７番目、１１番目、１３番目、１６番目の左右の支柱４，５を、それらに貫通して積み重ねられる収納体２のうちの最上部に位置する収納体２から上方に所定長さだけ突出するように延出させ、その延出部４Ａ，５Ａを利用して手すり６を構成している。ここでは、組立用階段の左右両側に手すりを備えている。これら手すりは、階段を昇降しているときに側方からの落下を防ぐ目的もあるため、形状や部品点数などの具体的構成は自由に変更することができる。
【００３１】
前記手すり６は、３番目、７番目、１１番目の左右の支柱４，５を利用して構成された前側手すり７と、１３番目、１６番目の支柱４，５を利用して構成された後側手すり８とからなっている。
【００３２】
前側手すり７は、３番目、７番目、１１番目の左右の支柱４，５の延出部４Ａ，５Ａの上端同士を棒状の連結部材９により連結することにより階段とほぼ平行となるように構成されている。具体的には、３箇所の延出部４Ａ，５Ａの上端のそれぞれに、円筒状の継手１０の下端に備えさせた円筒状の連結部１０Ａを差し込んで該継手１０を備えさせ、これら３つの継手１０に渡って貫通する長さに構成された連結部材９を挿入し、ビスにより連結部材９を継手１０に固定することにより、前側手すり７を完成することができる。
【００３３】
また、後側手すり８は、１３番目、１６番目の左右の支柱４，５の延出部４Ａ，５Ａの上端同士を棒状の連結部材１１により連結することにより水平方向に沿って延びるように構成されている。具体的には、２箇所の延出部４Ａ，５Ａの上端のそれぞれに、円筒状の継手１２の下端に備えさせた円筒状の連結部１２Ａを差し込んで該継手１２を備えさせ、これら２つの継手１２に渡って貫通する長さに構成された連結部材１１を挿入し、ビスにより連結部材１１を継手１２に固定することにより、後側手すり８を完成することができる。
【００３４】
次に、組立用階段の組立手順について説明する。
まず、左右一対の支柱４，５を、ロフト１の縁部１Ａまで延びる縦壁１３付近に最後尾の支柱４，５が位置するように前後方向に沿って間隔を置いて立設する。ここでいう立設とは、例えば既にメスねじが埋め込まれた床面に凹部がある防振マットをオスねじで固定し，防振マットの凹部に支柱６，７の下端を固定する他、床面３に支柱４，５の下端を固定するための各種の固定部材を取り付け、その取り付けた固定部材に支柱４，５の下端を固定する構成であってもよい。
【００３５】
全部で３２本の支柱４，５を立設すると、たとえば最前に位置する１番目と２番目に位置する４本の支柱４，５、４，５から１５番目と最後尾の１６番目に位置する４本の支柱４，５、４，５まで８個の収納体２を順次貫通させることによって、階段の最下段を構成する８個の収納体２を配置することができる。続いて、階段の二段目を構成するべく、３番目と４番目の４本の支柱４，５から最後尾の１６番目に位置する４本の支柱４，５まで７個の収納体２を順次貫通させることによって、階段の二段目を構成する７個の収納体２を配置することができる。同じように、階段の三段目の６個の収納体２、四段目の５個の収納体２、五段目の４個の収納体２、六段目の３個の収納体２、七段目の２個の収納体２、最上階となる八段目の１個の収納体８を支柱４，５に順次貫通させて配置させて収納体２の配置作業を完了する。このように収納体２を支柱４，５に貫通させて積み重ねることによって、前後方向において後方側ほど一個分の収納体２だけ高くなるように高さが異なる複数（図１では８個）のブロック体を構成している。つまり、１段、２段、３段、４段、５段、６段、７段、８段のブロック体を前後方向に構成している。尚、階段の最下段を構成する８個の収納体２の下端の四隅には、キャスタ１４が取り付けられているが、省略してもよい。尚、床面に防振マットを敷設しておいてもよい。
【００３６】
収納体２の配置作業が完了した後は、前述したように、収納体２から延びる左右で合計１０本の支柱４，５に、継手１０，１２を差し込んでから、連結部材９，１１を継手１０，１２に挿入し、ビスにより連結部材９，１１を継手１０，１２に固定して手すりを構成して、組立用階段の組立作業が完了する。
【００３７】
尚、本発明は、上記実施形態に限定されるものではなく、本発明の要旨を逸脱しない範囲で種々の変更が可能である。
【００３８】
例えば、上記実施形態では、手すり６を階段の左右幅方向両側に備えたが、例えば壁際に階段を設置する場合などは、壁側の手すりを省略して壁から離れる側のみに手すりを備えさせる構成であってもよい。
【００３９】
また、上記実施形態では、同一の大きさの収納体２を積み重ねた場合を示したが、一部のみ大きさの異なる収納体を積み重ねて実施してもよい。また、後方側ほどブロック体が一個分の収納体２だけ高くなるように構成したが、収納体２の上下方向の大きさ（高さ）によっては複数分の収納体だけ高くなるように構成してもよい。
【００４０】
また、上記実施形態では、支柱４，５の下端を床に固定することによって、支柱を立設できるようにしたが、例えば図４に示すように、一部の支柱４，５の上端が天井面Ｔに接当して突っ張り棒として機能するように、別の棒を支柱４，５の延出部４Ａ，５Ａ（図４では右側のみ図示している）に連結することによって、支柱４，５の下端を床に固定しなくても支柱４，５を立設することができ、床面３に孔を開ける、又は固定部材を取り付けることなどが一部削減できる。図４では、一部の支柱４，５のみについて行っているが、全ての支柱４，５について行うことによって、床面３に孔を開ける、又は固定部材を取り付けることなどが全く不要にできる。尚、天井面Ｔと床面３との間で突っ張り作用を機能させることによって、支柱４，５を立設させる他、最下段の収納体２に支柱４，５の下端を受け止める受止部を備えさせている場合には、天井面Ｔと最下段の収納体２の受止部との間で突っ張り作用を機能させて支柱４，５を立設させることができる。
【００４１】
図４を詳細に説明すれば、図１で示した継手１０，１２により３つの部材を連結できるように、継手１０の上端に上方に開口する円筒状の連結部１０Ｂ，１２Ｂを備えさせ、これら連結部１０Ｂ，１２Ｂの一方１０Ｂに長さ調節可能な別の棒としての内外二重パイプ１６の下端を差し込み、他方１２Ｂに所定長さに構成された別の棒としての１本のパイプ１７の下端を差し込んでいる。前記内外二重パイプ１６は、天井面Ｔにパイプ径よりも大きな径で接当する脚部１６ａを備えた上側パイプ部１６Ａと、このパイプ部１６Ａの下端に上端が内挿され、かつ、下端が連結部１０Ｂに内挿される下側パイプ部１６Ｂと、上側パイプ部１６Ａに対する下側パイプ部１６Ｂの移動を阻止する固定手段としての固定ネジ１８とを備えている。また、パイプ１７の上端にも、前記内外二重パイプ１６と同様に天井面Ｔにパイプ径よりも大きな径で接当する脚部１７ａを備えている。そして、パイプ１７の下端が挿入される連結部１２Ｂに、パイプ１７を連結部１２Ｂに固定するための固定手段としての固定ネジ１９を備えている。図４では、別の棒を支柱４，５の延出部４Ａ，５Ａに連結した場合を示したが、延出部４Ａ，５Ａを天井面Ｔまで延ばして実施することもできる。
【００４２】
また、図５に示すように、階段の下から七段目（上から二段目）に前記収納体２の大きさの２倍の前後寸法を有する大型の収納体２Ｘを備えさせてもよい。この収納体２Ｘは、左右方向に貫通する貫通孔２Ｓを備えさせることによって、例えば壁際に組立用階段を設置する場合に、例えば壁面に設置されるエアコンの室内機（図示せず）を前記貫通孔２Ｓ内に位置させることができ、エアコンの室内機によって、壁際に組立用階段を設置できないといったことを解消することができる。この場合の大型の収納体２Ｘへの支柱４，５の貫通は四隅のみとし、大型の収納体２Ｘの前後方向中央の直下方からの４本の支柱４，５の上端は、大型の収納体２Ｘの内部空間を貫通しないように図示の破線のように大型の収納体２Ｘの下端までの位置となっている。
【００４３】
また、図６に示す組立用階段であってもよい。つまり、前後方向で隣り合う収納体２のうちの前側の収納体２の後端と後側の収納体２の前端とを、共通の左右の支柱４，５に貫通させてブロック体を構成してもよい。このように構成することによって、特別な連結部材を用いることなく、前側の収納体２とこれの上側に位置する後側の収納体２とを共通の左右の支柱４，５により前後方向で連結することができるだけでなく、図６の側面視において収納体２を千鳥状に配置することができるから、図１の構成に比べて、収納体２の個数を少なくしながらも、同一高さの組立用階段を構成することができ、材料面及び組立作業面のいずれにおいても有利になる。尚、図６の構成では、最後尾に位置する収納体２の上下の間において、下から二段目、四段目、六段目に収納体２を配置しないで、スペーサ２０を配置することによって、組立用階段の最後尾の背面の一部が後側に突出することがなく、組立用階段の最後尾の背面をほぼ垂直面に形成することができる。従って、組立用階段を縦壁１３の壁面にできるだけ近付けて配設することができる。
【００４４】
また、上記実施形態では、一体形成された収納体２を示したが、図７に示すように、前方と上方が開放された収納本体部２１と、この収納本体部２１の上端開口２１Ａを閉じる蓋部２２とから構成してもよい。この場合、蓋部２２にも収納本体部２１と同様に支柱４，５に貫通する貫通孔２２Ａを四隅に備えさせているから、支柱４，５に収納本体部２１の４つの貫通孔２１ａと蓋部２２の４つの貫通孔２２Ａとをそれぞれ貫通させることができる。これによって、組立時に支柱４，５に収納本体部２１の４つの貫通孔２１ａと蓋部の４つの貫通孔２２Ａとをそれぞれ貫通させることで、収納体２を構成することができる。従って、例えば収納体２の蓋部２２のみ又は収納本体部２１のみが破損した場合には、蓋部２２のみ又は収納本体部２１のみを交換するだけで済むという利点がある。
【００４５】
また、図８では、図７で示した蓋部２２に貫通孔を形成しないで、４本の支柱４，５の移動を許容できるように切り欠いた切欠部２２Ｂを蓋部２２の四隅に備えさせるとともに、収納本体部２１に備えさせた被係止部としての溝２１Ｍに入り込んで係止する係止部としての突部２２Ｔを蓋部２２に備えさせて実施することもできる。この場合は、収納本体部２１に蓋部２２を係止固定して収納体２を構成し、構成された収納体２を支柱４，５に貫通させるようにしてもよいし、収納本体部２１を支柱４，５に貫通させた後、蓋部２２を収納本体部２１に係止固定して収納体２を構成するようにしてもよい。
【００４６】
また、上記実施形態では、収納体２が一方にのみ開口部２Ｋを備えた強度面において優れる箱型のものから構成したが、積み重ねることができる構成であれば、どのような構成であってもよい。
【００４７】
また、上記実施形態では、手すり６を、上方に突出した支柱４，５の延出部４Ａ，５Ａに連結部材９，１１を連結して構成したが、突出した支柱４，５の延出部４Ａ，５Ａを折り曲げて手すりを構成してもよい。また、左右一対の支柱４，５を前後方向に沿って二列に配置する他、一列又は三列以上であってもよい。
【００４８】
本発明の組立用階段は、ロフトへ上がるために組み立てられる他、上り下りに必要な場所であれば、室内、室外を問わずどのような場所においても、組み立てて使用することができる。
【符号の説明】
【００４９】
１…ロフト、１Ａ…縁部、２…収納体、２Ａ…上側壁、２Ｂ…下側壁、２Ｃ，２Ｄ…横側壁、２Ｅ…後側壁、２Ｋ…開口部、２Ｎ…ネジ孔、２Ｓ…貫通孔、２Ｘ…収納体、２ａ，２ｂ…貫通孔、３…床面、４，５…支柱、４Ａ，５Ａ…延出部、６…手すり、７…前側手すり、８…後側手すり、９，１１…連結部材、１０，１２…継手、１０Ａ，１０Ｂ…連結部、１２Ａ，１２Ｂ…連結部、１３…縦壁、１４…キャスタ、１６…内外二重パイプ、１６Ａ…上側パイプ部、１６Ｂ…下側パイプ部、１６ａ…脚部、１７…パイプ、１７ａ…脚部、１８，１９…固定ネジ、２０…スペーサ、２１…収納部本体、２２…蓋部、Ｈ…ハンガーフック、Ｐ…横パイプ、Ｔ…天井面
【図１】
2010229653.tif 000003
【図２】
2010229653.tif 000004
【図３】
2010229653.tif 000005
【図４】
2010229653.tif 000006
【図５】
2010229653.tif 000007
【図６】
2010229653.tif 000008
【図７】
2010229653.tif 000009
【図８】
2010229653.tif 000010